(57)【要約】【課題】安価に使用可能な、集合住宅の電子錠に使用する電子鍵の発行方法を提供する。【課題の解決手段】タブレット端末３から電子錠特定情報と、この電子錠特定情報で特定された電子錠１の電子鍵となるスマートフォン２を特定する電子鍵特定情報と、を電子鍵管理サーバ４に送信し、電子鍵管理サーバ４は電子鍵特定情報で特定されたスマートフォン２のＰＩＮコードを作成して、当該スマートフォン２にＰＩＮコードを含む電子鍵発行通知メールを送信し、このメールを受信したスマートフォン２はＰＩＮコードが別途入力されると、電子鍵管理サーバ４にＰＩＮコードと電子鍵特定情報を送信し、電子鍵管理サーバ４で適正なスマートフォン２と認証されると、電子鍵としての機能を取得し、使用可能になる。【選択図】図１
2019190038.tif 000002
【特許請求の範囲】
【請求項１】
集合住宅の各部屋のドアに設けられた電子錠と、電子鍵となる集合住宅利用者のスマートフォンと、集合住宅管理者が使用するタブレット端末と、電子鍵管理サーバと、を用いて行う電子鍵の発行方法であって、前記タブレット端末から電子錠特定情報と、この電子錠特定情報で特定された電子錠に使用するスマートフォンを特定する電子鍵特定情報と、を前記電子鍵管理サーバに送信し、電子鍵管理サーバは、前記電子鍵特定情報で特定されたスマートフォンのＰＩＮコードを作成して、このＰＩＮコードに対応するスマートフォンに前記ＰＩＮコードを含む電子鍵発行通知メールを送信し、電子鍵発行通知メールを受信したスマートフォンは前記ＰＩＮコードが別途入力されると前記電子鍵管理サーバに前記ＰＩＮコードと電子鍵特定情報を送信し、前記電子鍵管理サーバはタブレット端末から送信された電子鍵特定情報と一致した場合は、前記スマートフォンに電子鍵情報を送信し、電子鍵情報を受信したスマートフォンは、前記特定された電子錠に対する電子鍵としての機能を取得し、使用可能になることを特徴とする電子鍵の発行方法。
【請求項２】
前記各部屋のドアに設けられた電子錠に加えて設けられた、集合住宅の共用エントランスのドアの電子錠に、タブレット端末から電子鍵として機能しているスマートフォンの電子鍵特定情報を送信して、保存することを特徴とする前記請求項１に記載の電子鍵の発行方法。
【請求項３】
電子鍵管理サーバから一つのスマートフォンに複数の電子鍵情報を送信し、このスマートフォンを複数の電子錠の電子鍵として使用可能にすることを特徴とする前記請求項１または２に記載の電子鍵の発行方法。
【発明の詳細な説明】
【技術分野】
【０００１】
本発明は、電子鍵の発行方法に関し、特に、マンションなどの集合住宅におけるドアに設けた電子錠を施解錠する電子鍵としてスマートフォンを用いる電子鍵の発行方法に関する。
【背景技術】
【０００２】
従来から、マンションなどの集合住宅のドアには、電子錠が取り付けられており、この電子錠を施解錠するために、電子鍵として、スマートフォンなどの携帯端末を使用することが知られている（特許文献１）。この従来技術では、電子鍵の発行は、電子錠毎に配置した施開錠制御手段から利用者が利用する鍵情報を電話回線、インターネットを介して鍵管理サーバに送り、この鍵管理サーバからインターネットを介して鍵情報を利用者の携帯端末へ送り、鍵情報を取得した携帯端末を電子鍵として利用するものである。また、携帯端末と電子錠との間の近距離無線通信は、国際標準規格として承認されているＢＬＥ（Bluetooth（登録商標）Low Energy）通信規格を利用している。
【先行技術文献】
【特許文献】
【０００３】
【特許文献１】特開２００５−１３９６４４号公報
【発明の概要】
【発明が解決しようとする課題】
【０００４】
上述の従来技術では、電子鍵を発行するための施開錠制御手段は、電子錠毎に配置する必要があるので、部屋数の多い集合住宅などで電子錠の数が多い場合には、施開錠制御手段も多数配置しなければならず、設置作業が繁雑であるとともに、設置費用も高額なものになるという不都合がある。本発明は、この不都合を解消して、煩雑な設置作業を必要とせず、また設置費用もかからないことで、安価に使用可能な電子鍵の発行方法を提供することを目的とする。
【課題を解決するための手段】
【０００５】
この目的を達成するため本発明の請求項１に係る電子鍵の発行方法は、集合住宅の各部屋のドアに設けられた電子錠と、電子鍵となる集合住宅利用者のスマートフォンと、集合住宅管理者が使用するタブレット端末と、電子鍵管理サーバと、を用いて行う電子鍵の発行方法であって、前記タブレット端末から電子錠特定情報と、この電子錠特定情報で特定された電子錠に使用するスマートフォンを特定する電子鍵特定情報と、を前記電子鍵管理サーバに送信し、電子鍵管理サーバは、前記電子鍵特定情報で特定されたスマートフォンのＰＩＮコードを作成して、このＰＩＮコードに対応するスマートフォンに前記ＰＩＮコードを含む電子鍵発行通知メールを送信し、電子鍵発行通知メールを受信したスマートフォンは前記ＰＩＮコードが別途入力されると前記電子鍵管理サーバに前記ＰＩＮコードと電子鍵特定情報を送信し、前記電子鍵管理サーバはタブレット端末から送信された電子鍵特定情報と一致した場合は、前記スマートフォンに電子鍵情報を送信し、電子鍵情報を受信したスマートフォンは、前記特定された電子錠に対する電子鍵としての機能を取得し、使用可能になることを特徴とする。
【０００６】
前記目的を達成するため本発明の請求項２に係る電子鍵の発行方法は、前記請求項１の構成において、前記各部屋のドアに設けられた電子錠に加えて設けられた、集合住宅の共用エントランスのドアの電子錠に、タブレット端末から電子鍵として機能しているスマートフォンの電子鍵特定情報を送信して、保存することを特徴とする。
【０００７】
前記目的を達成するため本発明の請求項３に係る電子鍵の発行方法は、前記請求項１または２の構成において、電子鍵管理サーバから一つのスマートフォンに複数の電子鍵情報を送信し、このスマートフォンを複数の電子錠の電子鍵として使用可能にすることを特徴とする。
【発明の効果】
【０００８】
本発明の請求項１に係る電子錠の発行方法によれば、集合住宅の管理者が使用するタブレット端末と、電子鍵管理サーバとを用いて、居住者のスマートフォンを電子鍵として使用可能にする電子鍵の発行を容易かつ確実に行うことができるという効果を奏する。
【０００９】
本発明の請求項２に係る電子鍵の発行方法によれば、前記請求項１発明の奏する効果に加え、共用エントランスのドアの施解錠にも使用可能な電子鍵としてのスマートフォンを容易に得られるという効果を奏する。
【００１０】
また、本発明の請求項３に係る電子鍵の発行方法によれば、前記請求項１または２の奏する効果に加え、特定人を複数の部屋の電子鍵の所有者にすることができるので、特定人が当該集合住宅に複数の顧客を有する介護業者や清掃業者の場合に好適であるという効果を奏する。
【図面の簡単な説明】
【００１１】
【図１】本発明の一実施形態に使用する装置の全体構成を示すブロック図。
【図２】同じく電子錠の外観を示す斜視図。
【図３】同じく電子錠の通信・制御機構を示すブロック図。
【図４】同じく電子鍵発行に関連するタブレット端末の動作を示すフローチャート。
【図５】同じく電子鍵発行に関連する電子鍵管理サーバの動作を示すフローチャート。
【図６】同じく電子鍵発行に関連するスマートフォンと電子鍵管理サーバの動作を示すフローチャート。
【発明を実施するための形態】
【００１２】
以下、本発明の好適な一実施形態を添付図面に基づき説明する。はじめに、図１に基づいて、本実施形態を実施するために使用する装置について説明すると、電子錠１と、スマートフォン２と、タブレット端末３と、電子鍵管理サーバ４からなるものである。前記電子錠１は、集合住宅の各部屋のドアに設けられている。前記スマートフォン２は、電子鍵として使用されるもので、通常、集合住宅の居住者が所有しているものであるが、当該集合住宅の居住者を対象とする介護業者や、各部屋を対象とする清掃業者が所有する場合もある。タブレット端末３は、集合住宅管理者が保管、使用するものであり、また、電子鍵管理サーバ４は、インターネットを介して接続できるサーバ管理センターに配置されている。そして、前記スマートフォン２には、電子鍵としての機能を取得し、電子鍵として使用するための専用アプリがあらかじめダウンロードされ、前記タブレット端末３には、電子鍵を発行準備するための専用アプリがあらかじめダウンロードされている。
【００１３】
図２に示すように、電子錠１は、円筒状の本体１２を備え、この本体１２の前面全体が通信部のタッチパネル１３となっている。このタッチパネル１３には、ＬＥＤ表示部１４（図３参照）である３個のＬＥＤ１４ａ，１４ｂ，１４ｃが設けられている。また、前記本体１２の前面側周縁には、入力部材である押しボタン１５が設けられている。さらに、前記本体１２の後面側には、デッドボルトなどを駆動して施解錠するための施解錠機構１６が設けられている。
【００１４】
電子錠１の本体１２内部には、通信・制御機構が収納されている。図３に示すように、この通信・制御機構は、上述したＬＥＤ表示部１４のほか、電子鍵であるスマートフォン２、あるいはタブレット端末３と通信するＢＬＥ通信部１７を含む通信部と、マイコン２１からなる。このマイコン２１は、前記ＢＬＥ通信部１７を含む通信部で受信した各種情報を保存するメモリ１８と、施解錠信号出力部１９と、各種動作の制御を行う制御部２０とを備えている。
【００１５】
スマートフォン２及びタブレット端末３は、公知の市販製品を利用すればよいが、前述したように、あらかじめそれぞれ所定の専用アプリを、ダウンロードしておく必要がある。
【００１６】
続いて、上述した装置を用いて行う電子鍵の発行方法について説明するが、まず、タブレット端末３による動作を図４に基づいて説明する。タブレット端末３は、そのタッチパネルに表示されたアイコンの中からダウンロードしておいた電子鍵発行準備に係る専用アプリに対応するアイコンがタップされると、対象物件選択画面を表示する。具体的には、集合住宅管理業者が管理する集合住宅名称及び部屋番号が一覧表示される。そして、表示画面がスクロールされて、発行する電子鍵の対象となる電子錠を特定する電子錠特定情報である、当該電子錠が設けられた集合住宅の名称及び部屋番号がタップされて選択されると、この電子錠特定情報である選択された集合住宅名称及び部屋番号をタブレット端末３のメモリに一時的に保存する（ステップ１０１）。
【００１７】
次に、ステップ１０２に進んで、鍵情報入力画面を表示し、ステップ１０１で選択、保存した集合住宅名称及び部屋番号に使用される電子鍵であるスマートフォン２を特定する電子鍵特定情報である、スマートフォン２の所有者の氏名、メールアドレス、居住する集合住宅名称が、タッチパネルから入力されると、この入力された所有者名、メールアドレス、集合住宅名称をタブレット端末３のメモリに一時的に保存する。
【００１８】
次に、ステップ１０３に進んで、電子鍵発行通知メールの送付先を入力するメール送付先情報入力画面を表示し、メール送付先であるスマートフォン２の所有者の氏名とメールアドレスがタブレット端末３のタッチパネルから入力されると、このメール送付先情報である氏名とメールアドレスをタブレット端末３のメモリに一時的に保存する。
【００１９】
次に、ステップ１０４に進んで、鍵有効期間終了日時入力画面を表示し、スマートフォン２の電子鍵としての有効期間の終了日時がタッチパネルから、例えば「２０１９．１２．３１．ｐｍ１０：００」のように入力されると、タブレット端末３のメモリにこの鍵有効期間終了日時情報を一時的に保存する。
【００２０】
次に、ステップ１０５に進んで、鍵有効期間開始日時入力画面を表示し、スマートフォン２の電子鍵としての有効期間の開始日時がタッチパネルから、例えば「２０１８．０４．２１．ａｍ８：００」のように入力されると、タブレット端末３のメモリにこの鍵有効期間開始日時情報を一時的に保存する。前記鍵有効期間開始日が電子鍵発行日である。また、鍵有効期間開始日時情報と鍵有効期間終了日時情報とにより鍵有効期間情報を構成する。
【００２１】
次に、ステップ１０６に進んで、メール送付タイミング入力画面を表示し、電子鍵としての機能を取得するためのスマートフォン２の操作が可能となる日時である鍵有効期間開始日時、換言すると電子鍵発行日時をメールで当該スマートフォンに通知するタイミングが入力される。このメールによる通知は電子鍵予約通知と電子鍵発行通知の２回行うよう設定されている。前記電子鍵予約通知は、電子鍵が発行されることをあらかじめ通知するもので、後述するように、電子鍵管理サーバ４がタブレット端末３からのメール送付タイミング情報を受信すると直ちに行われ、電子鍵発行通知は、電子鍵発行日時である鍵有効期間開始日時に行われる。この電子鍵発行日時がメール通知日時であり、ステップ１０５で入力された鍵有効期間開始日時をメール送付タイミング情報としてタブレット端末３のメモリに一時的に保存する。
【００２２】
次に、ステップ１０７に進んで、電子鍵発行画面を表示し、表示された「発行ボタン」がタップされると、タブレット端末３は、そのメモリに一時的に保存しておいた各情報、すなわち、電子錠特定情報である集合住宅名称及び部屋番号、電子鍵特定情報である、スマートフォン２の所有者の氏名、メールアドレス、居住する集合住宅名称、メール送付先情報、鍵有効期間終了日時情報、鍵有効期間開始日時情報、メール送付タイミング情報、を電子鍵管理サーバ４に送信する。
【００２３】
続いて、電子鍵管理サーバ４の動作を、図５に基づいて説明する。この図５においては、「スマートフォン」を「スマホ」と略記する。電子鍵管理サーバ４は、タブレット端末３から送信された上述の各情報を保存する（ステップ２０１）。電子鍵管理サーバ４は、直ちに、スマートフォン２の所有者氏名と、鍵有効期間情報を含む電子鍵予約通知メールを生成し（ステップ２０２）、この電子鍵予約通知メールを当該スマートフォン２に送信する（ステップ２０３）。そして、電子鍵発行通知のメール送信時刻、すなわち電子鍵発行日時である鍵有効期間開始日時になると（ステップ２０４）、電子鍵管理サーバ４は、当該スマートフォン２のＰＩＮコードを作成して使用対象となる電子錠１と紐付けしたうえ、前記ＰＩＮコード、スマートフォン２の所有者名及びメールアドレスを含む電子鍵発行通知メールを生成し（ステップ２０５）、この電子鍵発行通知メールを当該スマートフォン２に送信する（ステップ２０６）。
【００２４】
続いて、図６に基づき、スマートフォン２の電子鍵機能取得、使用動作と関連する電子鍵管理サーバ４の動作を説明する。この図６においては、「スマートフォン」を「スマホ」と略記する。電子鍵管理サーバ４からの電子鍵発行通知メールを受信したスマートフォン２は取得画面を表示する（ステップ３０１，３０２）。
【００２５】
ステップ３０３、３０４に進んで、この取得画面に表示された自己のメールアドレスとＰＩＮコードが表示画面の所定部分に入力され、さらにステップ３０５に進んで「取得」部分がタップされて取得信号が入力すると、スマートフォン２は前記メールアドレスと前記ＰＩＮコードを鍵管理サーバ４に送信する。
【００２６】
前記メールアドレスと前記ＰＩＮコードを受けた電子鍵管理サーバ４は、前記メールアドレスがタブレット端末３から受信した当該スマートフォン２のメールアドレスと一致するか判断し（ステップ３０７）、一致する場合はステップ３０８に進んで、スマートフォン２が電子鍵として機能することを認証したことを示す電子鍵情報を当該スマートフォン２に送信して、さらにステップ３１０に進む一方、一致しない場合はステップ３０９に進んで、エラーメッセージを当該スマートフォン２に送信して終了する。スマートフォン２が電子鍵管理サーバ４からの電子鍵情報を受信することで、電子鍵が発行される。
【００２７】
ステップ３１０でスマートフォン２は、このスマートフォン２が有する現在有効な電子鍵の情報を一覧表示するキー一覧画面を表示し、今回取得した電子鍵の情報を新たに追加表示する。ここで、今回初めて電子鍵を取得した場合は、取得した電子鍵の情報のみを表示する。表示される情報は、具体的には、電子鍵の対象となる電子錠１が設置された集合住宅名称と部屋番号である。
【００２８】
スマートフォン２は、上述したステップ３０１〜３０５の動作を繰り返すことで、電子鍵管理サーバ４から複数の電子鍵情報を得て、複数の電子錠１の電子鍵機能を取得し、当該複数の電子錠１の電子鍵として使用することができる。この構成は、スマートフォン２の所有者が、当該集合住宅に複数の顧客を有する介護業者や清掃業者等の場合に好適である。
【００２９】
スマートフォン２を電子鍵１として使用する場合には、ステップ３１１に進んで、キー一覧画面に表示されている電子鍵から使用したい電子錠１に対応する電子鍵が選択されてタップされたことを認識すると、ステップ３１２に進み、画面上のキースイッチがスライドさせられたことを認識すると、電子鍵としての機能が始動する。すなわち、スマートフォン２は電子錠１とＢＬＥ通信し（ステップ３１３）、この電子錠１の施解錠信号出力部１９から施解錠信号を出力させて（ステップ３１４）、電子錠１を解錠、施錠する施開錠動作をするものである。
【００３０】
なお、本発明は、上述の実施形態に限定されるものではなく、例えば、集合住宅の共用エントランスのドアに電子錠１が設けられている場合には、この電子錠１にタブレット端末３から全居住者の電子鍵であるスマートフォン２の電子鍵特定情報を入力して、保存することにより、全居住者が自己のスマートフォン２を携帯していれば、共用エントランスのドアを通過する際に設置されている電子錠１と携帯するスマートフォン２とがＢＬＥ通信することで、前記電子錠１を施解錠操作することができる。
【００３１】
また、電子錠特定情報や電子鍵特定情報の具体的な内容は、上述した例に限定されず、種々変更可能である。さらに、居住者が転居することにともない、転居者が有するスマートフォン２の電子鍵機能を無効にするには、タブレット端末３から対象となる電子錠１、電子鍵管理サーバ４に当該スマートフォン２の電子鍵特定情報を消去する指示信号を送信して、この電子錠１、電子鍵管理サーバ４及びタブレット端末３の各メモリに保存されている当該スマートフォン２の電子鍵特定情報を消去すればよい。このように、電子鍵発行後の管理も容易である。
【符号の説明】
【００３２】
１      電子錠
２      スマートフォン
３      タブレット端末
４      電子鍵管理サーバ
【図１】
2019190038.tif 000003
【図２】
2019190038.tif 000004
【図３】
2019190038.tif 000005
【図４】
2019190038.tif 000006
【図５】
2019190038.tif 000007
【図６】
2019190038.tif 000008